(57)【特許請求の範囲】
【請求項１】
番組再生中にＣＭを視聴しないと番組を消去できない保護機能を備えた録画再生装置であって、
前記録画再生装置の初期状態において、ＣＭまたはＣＭを含んだ番組を記録した記録領域と、番組の録画のために使用する録画されていない空き容量と、が設定され、
前記記録領域に記録されたＣＭまたはＣＭを含んだ番組を視聴した場合に、前記視聴したＣＭまたはＣＭを含んだ番組に限らず、特定の数もしくは容量のＣＭまたはＣＭを含んだ番組を任意に選択して、前記選択したＣＭまたはＣＭを含んだ番組の記録領域に対して消去できない保護を解除して録画に使用可能な空き容量とし、
前記視聴したＣＭまたはＣＭを含んだ番組を消去せずに、視聴する見込みのない未視聴のＣＭまたはＣＭを含んだ番組を消去可能とする
ことを特徴とする録画再生装置。
【請求項２】
番組再生中にＣＭを視聴しないと番組を消去できない保護機能を備えた録画再生装置であって、
前記録画再生装置の初期状態において、ＣＭまたはＣＭを含んだ番組を記録した記録領域と、録画に使用できないように保護された録画されていない未録画領域と、番組の録画のために使用する録画されていない空き容量と、が設定され、
前記記録領域に記録されたＣＭまたはＣＭを含んだ番組を視聴した場合に、
前記視聴したＣＭまたはＣＭを含んだ番組に限らず、特定の数もしくは容量のＣＭまたはＣＭを含んだ番組を任意に選択して、前記選択したＣＭまたはＣＭを含んだ番組の記録領域に対して消去できない保護を解除して消去可能な状態とし、
さらに、視聴した数若しくは容量のＣＭまたはＣＭを含んだ番組の記録容量分だけに限らず、所定の拡大した記録容量分に相当する前記未録画領域に対して、消去できない保護を解除して録画に使用可能な空き容量とする
ことを特徴とする録画再生装置。
【請求項３】
録画再生装置の初期状態において、ＣＭまたはＣＭを含んだ番組を記録した記録領域と、番組の録画のために使用する録画されていない空き容量と、が設定された録画再生装置の記録容量管理方法であって、
前記記録領域に記録されたＣＭまたはＣＭを含んだ番組を視聴するステップと、
前記視聴したＣＭまたはＣＭを含んだ番組に限らず、特定の数もしくは容量のＣＭまたはＣＭを含んだ番組を任意に選択するステップと、
前記選択したＣＭまたはＣＭを含んだ番組の記録領域に対して消去できない保護を解除して録画に使用可能な空き容量として、前記視聴したＣＭまたはＣＭを含んだ番組を消去せずに、視聴する見込みのない未視聴のＣＭまたはＣＭを含んだ番組を消去可能とするステップと、からなる
ことを特徴とする録画再生装置の記録容量管理方法。
【発明の詳細な説明】
【技術分野】
【０００１】
本発明は、テレビ放送やネットワークを介して提供される音声と映像を録画及び再生する機能を備えた録画再生装置に係わり、特に、この録画再生装置の有するＣＭを録画した記録容量の管理方法に関する。
【背景技術】
【０００２】
現在一般的に販売されているＤＶＤレコーダやハードディスクレコーダなどの録画再生装置には、早送りやスキップなどの機能を備えているものが多い。このため、録画再生装置の利用者はこれらの機能を使用することにより視聴したくない録画済みのＣＭの視聴を容易に回避することができる。
【０００３】
無料で放送されている番組の多くは、ＣＭの広告料収入で成り立っている。したがって、ＣＭの視聴を回避されることは、無料放送の前提が崩れることにつながる。このため、録画再生装置の利用者に強制的にＣＭを視聴させるための様々な手法が提案されている。例えば、特許文献１では、録画した番組の再生中にＣＭを視聴しないと、番組を消去できないようにしていて、録画したＣＭを保護する機能を備えた録画再生装置を開示している。
【特許文献１】特開２００１−２６６４８２号公報
【発明の開示】
【発明が解決しようとする課題】
【０００４】
上述したように、番組再生中にＣＭを強制的に視聴させる機能を備えていない録画再生装置（番組の録画に際してＣＭを含めた内容を録画することが前提のもの）の場合、早送りやスキップなどの機能を使用することによりＣＭの視聴を回避することができる。このため、リアルタイムで視聴する場合と比べて、ＣＭの宣伝効果を果たすことができない。
【０００５】
一方、ＣＭを強制的に視聴させる機能を備えた録画再生装置の場合（ＣＭを含んだ番組を再生する際にＣＭを早送りやスキップできない機能をもった装置の場合）、利用者は視聴したくないＣＭを視聴させられる可能性がある。この場合、利用者は不満に感じるとともに、そのＣＭの視聴に要した時間を浪費することになり、この場合には、ＣＭの宣伝効果も十分に得られない。
【０００６】
本発明の目的は、ＣＭの広告主にとって高い宣伝効果が得られるとともに、視聴者とっても視聴するＣＭを選択可能とする録画再生装置及び記録容量管理方法を提供することにある。
【課題を解決するための手段】
【０００７】
前記課題を解決するために、本発明は次のような構成を採用する。  
番組再生中にＣＭを視聴しないと番組を消去できない保護機能を備えた録画再生装置であって、前記録画再生装置の初期状態において、ＣＭまたはＣＭを含んだ番組を記録した記録領域と、番組の録画のために使用する録画されていない空き容量と、が設定され、前記記録領域に記録されたＣＭまたはＣＭを含んだ番組を視聴した場合に、前記視聴したＣＭまたはＣＭを含んだ番組に限らず、特定の数もしくは容量のＣＭまたはＣＭを含んだ番組を任意に選択して、前記選択したＣＭまたはＣＭを含んだ番組の記録領域に対して消去できない保護を解除して録画に使用可能な空き容量とし、前記視聴したＣＭまたはＣＭを含んだ番組を消去せずに、視聴する見込みのない未視聴のＣＭまたはＣＭを含んだ番組を消去可能とする構成とする。
【０００８】
また、番組再生中にＣＭを視聴しないと番組を消去できない保護機能を備えた録画再生装置であって、前記録画再生装置の初期状態において、ＣＭまたはＣＭを含んだ番組を記録した記録領域と、録画に使用できないように保護された録画されていない未録画領域と、番組の録画のために使用する録画されていない空き容量と、が設定され、前記記録領域に記録されたＣＭまたはＣＭを含んだ番組を視聴した場合に、前記視聴したＣＭまたはＣＭを含んだ番組に限らず、特定の数もしくは容量のＣＭまたはＣＭを含んだ番組を任意に選択して、前記選択したＣＭまたはＣＭを含んだ番組の記録領域に対して消去できない保護を解除して消去可能な状態とし、さらに、視聴した数若しくは容量のＣＭまたはＣＭを含んだ番組の記録容量分だけに限らず、所定の拡大した記録容量分に相当する前記未録画領域に対して、消去できない保護を解除して録画に使用可能な空き容量とする構成である。
【０００９】
また、録画再生装置の初期状態において、ＣＭまたはＣＭを含んだ番組を記録した記録領域と、番組の録画のために使用する録画されていない空き容量と、が設定された録画再生装置の記録容量管理方法であって、前記記録領域に記録されたＣＭまたはＣＭを含んだ番組を視聴するステップと、前記視聴したＣＭまたはＣＭを含んだ番組に限らず、特定の数もしくは容量のＣＭまたはＣＭを含んだ番組を任意に選択するステップと、前記選択したＣＭまたはＣＭを含んだ番組の記録領域に対して消去できない保護を解除して録画に使用可能な空き容量として、前記視聴したＣＭまたはＣＭを含んだ番組を消去せずに、視聴する見込みのない未視聴のＣＭまたはＣＭを含んだ番組を消去可能とするステップと、からなる録画再生装置の記録容量管理方法。
【発明の効果】
【００１０】
本発明によると、利用者は興味のあるＣＭを選択して視聴することができるため、録画再生装置に録画されたＣＭの広告主にとって高い宣伝効果を期待することができる。また、その宣伝費用を差し引くことで録画再生装置の販売価格を低減させることができ、録画再生装置の販売促進も期待できる。
【００１１】
また、利用者は視聴済みのＣＭを消去せずに残しておき、視聴する見込みのない不要なＣＭを消去することができる。さらに、録画したＣＭの容量が小さい場合にも利用者にＣＭを視聴させることが可能となり、高い宣伝効果を期待できる。
【発明を実施するための最良の形態】
【００１２】
「第１の実施形態」
図１は本発明の第１の実施形態に係る録画再生装置の記録容量管理方法を説明する図であり、記録容量の使用状態の変遷を表す図である。第１の実施形態に係る録画再生装置はＣＭをあらかじめ録画した状態で販売される。ここで、通常の放送のように、番組内容（ドラマ、スポーツなど）とともにＣＭを録画したもので当然によいし、ＣＭと番組内容とを別々にして録画しておいても構わない。そして、録画したＣＭは視聴しないと消去できないように保護が掛けられている（保護を掛けたり保護を解除する具体的手法は従来公知の技術を利用すればよい）。第１の実施形態では、録画されたＣＭを視聴した容量分だけ保護が解除できるものである。
【００１３】
図１（ａ）は、利用者が録画再生装置を購入した時点での記録容量（以下、容量と称する）の使用状態を表す。１０１は何も録画していない空き容量を表し、利用者は放送などの番組の録画のために使用することができる。１０２はＣＭの録画に使用した容量を表す。利用者は録画されたＣＭから視聴したいものを任意に選択して視聴することができる。ＣＭのジャンル（食品、スポーツなど）別の一覧表を既録画領域の冒頭に表示しておくことで任意のＣＭを選択でき得る。
【００１４】
図１（ｂ）は、利用者が録画されたＣＭを視聴した後の容量の使用状態を表す。１０３は何も録画していない空き容量を表す。１０４は視聴済みのＣＭが使用する容量を表す。視聴済みのＣＭは、保護（消去不能の保護）が解除されて消去可能な状態となる。１０５は未視聴のＣＭが使用する容量を表す。
【００１５】
図１（ｃ）は、利用者が保護が解除されたＣＭを消去した後の容量の使用状態を表す。１０６は何も録画していない空き容量を表す。容量は消去されたＣＭの容量だけ容量１０３より増加する。１０７は未視聴のＣＭが使用する容量を表す。１０７の示す容量は容量１０５から変化しない。
【００１６】
このような構成により、利用者が番組の録画に使用できる空き容量を増やすためにＣＭを視聴することを期待できる。そして、ＣＭの広告主から広告料を徴収し、広告主が提供するＣＭを録画して録画再生装置を販売することにより、録画再生装置を安価に提供できる。また、録画するＣＭの内容が良いものであれば、それを視聴したいと考える利用者が増え、したがって、販売が促進される効果も期待できる。なお、図１（ａ）において、ＣＭの録画に使用した容量１０２として録画再生装置の一部の容量を示しているが、全容量をＣＭの録画に使用し、空き容量１０１を設けない記録容量の管理方法であっても良い。
【００１７】
「第２の実施形態」
図２は本発明の第２の実施形態に係る録画再生装置の記録容量管理方法を説明する図であり、記録容量の使用状態の変遷を表す図である。第２の実施形態においても、録画再生装置はＣＭをあらかじめ録画した状態で販売される。そして、録画したＣＭは消去できないよう保護が掛けられている。ただし、利用者が録画されたＣＭを視聴した場合に、特定の数もしくは容量のＣＭを任意に選択して保護を解除できる構成とする。すなわち、録画ＣＭを視聴した場合に、視聴したＣＭの容量分だけに限らず、視聴していないＣＭの容量分をも保護を解除でき得るようにする。この際、保護の解除対象分については、視聴したＣＭに関連するものにしても良いし、所定の容量比率分又は任意のＣＭ個数分としてもよい。
【００１８】
図２（ａ）は、利用者が録画再生装置を購入した時点での容量の使用状態を表す。２０１は何も録画していない空き容量を表し、利用者は番組の録画のために使用することができる。２０２はＣＭの録画に使用した容量を表す。利用者は録画されたＣＭから視聴したいものを任意に選択して視聴することができる。
【００１９】
図２（ｂ）は、利用者が録画されたＣＭを視聴し、保護を解除するＣＭを選択した後の容量の使用状態を表す。２０３は何も録画していない空き容量を表す。２０４は保護が解除されたＣＭが使用する容量を表す。２０５は保護が解除されていない視聴済みのＣＭが使用する容量を表す。２０６は保護が解除されていない未視聴のＣＭが使用する容量を表す。図２（ｂ）では、視聴したＣＭの内で、保護が解除された容量分２０４と保護が解除されていない容量分２０５に分けている。
【００２０】
図２（ｃ）は、利用者が保護が解除されたＣＭの一部を消去した後の容量の使用状態を表す。２０７は何も録画していない空き容量を表す。容量は消去されたＣＭの容量だけ容量２０３より増加する。２０８は保護が解除されたＣＭが使用する容量を表す。容量は消去されたＣＭの容量だけ容量２０４より減少する。２０９は保護が解除されていない視聴済みのＣＭが使用する容量を表す。２０９に示す容量は容量２０５から変化しない。２１０は保護が解除されていない未視聴のＣＭが使用する容量を表す。２１０に示す容量は容量２０６から変化しない。
【００２１】
このような構成により、利用者は視聴済みのＣＭを消去せずに残しておき、視聴する見込みのない不要なＣＭを消去することができる。
【００２２】
「第３の実施形態」
図３は本発明の第３の実施形態に係る録画再生装置の記録容量管理方法を説明する図であり、記録容量の使用状態の変遷を表す図である。第３の実施形態においても、録画再生装置はＣＭをあらかじめ録画した状態で販売される。そして、録画したＣＭは視聴しないと消去できないよう保護が掛けられている。また、録画に使用できないように保護された何も録画されていない記録領域を設け、視聴したＣＭの数もしくは容量に応じて保護を解除する構成とする。すなわち、録画されたＣＭを視聴した場合に、視聴したＣＭの容量分だけに限らず、所定の容量分拡大して解除できる量としても良い。
【００２３】
図３（ａ）は、利用者が録画再生装置を購入した時点での容量の使用状態を表す。３０１は保護されていない空き容量を表し、利用者は番組の録画のために自由に使用することができる。３０２は保護された空き容量を表し、利用者は番組の録画のために使用することはできない。３０３はＣＭの録画に使用した容量を表す。利用者は録画されたＣＭから視聴したいものを任意に選択して視聴することができる。ＣＭの録画の形態については第１の実施形態と同様である。
【００２４】
図３（ｂ）は、利用者が録画されたＣＭを視聴した後の容量の使用状態を表す。３０４は保護されていない空き容量を表す。３０４に示す容量は視聴したＣＭの数もしくは容量に応じて増加する。３０５は保護された空き容量を表す。３０５に示す容量は容量３０４と容量３０１の差分（図３（ｂ）で白地部分が増加した分）だけ減少する。３０６は視聴済みのＣＭが使用する容量を表す。視聴済みのＣＭは、保護が解除されて消去可能な状態となる。３０７は未視聴のＣＭが使用する容量を表す。図示の例では、３０６のＣＭ容量分だけ視聴して、図３（ｂ）で白地部分の増加分が保護の解除された容量となる。
【００２５】
このような構成により、録画したＣＭの容量が小さい場合（図３（ａ）の領域３０３）にも録画に使用できる容量（図３（ａ）の領域３０１）を小さくすることができるため、利用者は録画に使用できる容量を増やすためにＣＭを視聴すると考えられ、高い宣伝効果を期待できる。なお、第３の実施形態において、ＣＭに対する保護の解除方法は、第１の実施形態の場合と同様に、視聴したＣＭの保護が無条件で解除されるようにしているが、第２の実施形態の場合のように、保護を解除するＣＭを利用者に選択させるようにしても良い。
【００２６】
以上説明したように、本発明の実施形態は、次のような構成を備え、効果を奏することを主たる特徴とするものである。すなわち、録画された内容が消去できないように保護する機能を備えた番組録画再生装置において、販売時にあらかじめＣＭを録画し、このＣＭが視聴されるまで消去できないように保護しておく。利用者はＣＭを視聴しないとその分の容量（拡大した容量でも良い）を録画に使用することができないため、録画されたＣＭを視聴する可能性が高くなる。また、ＣＭを視聴しない場合に、ＣＭの容量より大きな領域を録画禁止にすることにより、より確実にＣＭを視聴させることができる（広告主は高い宣伝効果を得ることができる）。ＣＭの広告主からのＣＭ広告料を徴収して広告料の分だけ録画再生装置の販売価格を低減することができる。
【図面の簡単な説明】
【００２７】
【図１】本発明の第１の実施形態に係る録画再生装置の記録容量管理方法を説明する図であり、記録容量の使用状態の変遷を表す図である。
【図２】本発明の第２の実施形態に係る録画再生装置の記録容量管理方法を説明する図であり、記録容量の使用状態の変遷を表す図である。
【図３】本発明の第３の実施形態に係る録画再生装置の記録容量管理方法を説明する図であり、記録容量の使用状態の変遷を表す図である。
【符号の説明】
【００２８】
１０１，１０３，１０６  空き容量
１０２  録画されたＣＭが使用する容量
１０４  視聴済みＣＭが使用する容量
１０５，１０７  未視聴ＣＭが使用する容量
２０１，２０３，２０７  空き容量
２０２  録画されたＣＭが使用する容量
２０４，２０８  保護が解除されたＣＭが使用する容量
２０５，２０９  保護が解除されていない視聴済みＣＭが使用する容量
２０６，２１０  保護が解除されていない未視聴ＣＭが使用する容量
３０１，３０４  保護されていない空き容量
３０２，３０５  保護された空き容量
３０３  録画されたＣＭが使用する容量
３０６  視聴済みＣＭが使用する容量
３０７  未視聴ＣＭが使用する容量
【図１】
0004695547.tif 000002
【図２】
0004695547.tif 000003
【図３】
0004695547.tif 000004